(57)【要約】【目的】空缶とペットボトルのような異種の空容器を、立ち姿勢の侭で圧縮と分別操作ができる家庭用の圧縮装置とする。【構成】垂直状の固定板１に傾斜対向する押圧板３にて落下口４を形成し、押圧板３の両側面の下方に支点６とＬ字状に延長した梃子杆５を有し、両梃子杆５間の横杆７と固定板１の間にスプリングバネ８で開口部２を保持させて、全体を枠体９で立設、連結杆１０を介し横杆７を押下げて空容器１１を圧縮するペダル１２を設けて成る立設状足踏式空容器圧縮装置において、落下口４の下方に位置し、落下口４の長さ方向を二分するように、下辺部を回動支点軸１３とし、上辺が両方向に回動する選別板１４を有し、回動支点軸１３の直下に、長さ方向に鋭角に切込１５を有した壁板１６を、選別板１４に対し平行で垂直状に設けると共に、フック１７を適所に設けた選別手段取付部材１８を枠体９に取付けた立設状足踏式空容器圧縮装置。【選択図】図１
2009034727.tif 000002
【特許請求の範囲】
【請求項１】
垂直状の固定板（１）に、上方を開口部（２）として傾斜対向する押圧板（３）が、両側面から下方に落下口（４）を形成してＬ字状に延長する梃子杆（５）を有し、該Ｌ字直角点には支点（６）があり、上記両梃子杆（５）間を渡る横杆（７）を、スプリングバネ（８）にて上記固定板（１）の上辺との間を短縮するよう付勢して上記開口部（２）の開口形成手段とし、かつ、上記固定板（１）の下方から複数の枠体（９）にて全体を立設すると共に、該枠体（９）の下方には、連結杆（１０）を介して上記横杆（７）を押下げて空容器（１１）を圧縮するためのペダル（１２）を設けて成る立設状足踏式空容器圧縮装置において、上記落下口（４）の下方に位置し、上記落下口（４）の長さ方向を二分するよう下辺部を回動支点軸（１３）として、上辺が前後方向に回動する長方形状とした選別板（１４）を有し、かつ、上記回動支点軸（１３）の直下には、長さ方向に幅狭で上方を鋭角とした切込（１５）を有した壁板（１６）を、上記選別板（１４）に対して平行で、かつ、垂直状に設けると共に、複数のフック（１７）をも適所に有した選別手段取付部材（１８）を設けたことを特徴とする立設状足踏式空容器圧縮装置。
【請求項２】
押圧板（３）の両側面に、直角三角形状の側板（１９）を、固定板（１）の両外側に設けるよう該側板（１９）の直角点を支点（６）位置とし、下辺が梃子杆（５）に相当するものとして、その両端部近傍間に横杆（７）を渡した請求項１記載の立設状足踏式空容器圧縮装置。
【請求項３】
壁板（１６）を、回動支点軸（１３）に対して回動自在に吊下げるようにした請求項１又は請求項２記載の立設状足踏式空容器圧縮装置。
【請求項４】
選別手段取付部材（１８）を、回動支点軸（１３）と係止棒（２０）の両端の軸受けと共に、両外側上方にはフック（１７）をも設けた板体とした請求項１乃至請求項３のいずれかに記載の立設状足踏式空容器圧縮装置。
【発明の詳細な説明】
【技術分野】
【０００１】  この発明は、アルミやスチールの金属製空缶や空ペットボトルのような資源ゴミとして自治体が回収する使用済み空容器の圧縮装置であり、特に各家庭において、分別回収に便利なように工夫した立設状の足踏式空容器圧縮装置に関する。
【背景技術】
【０００２】  現在の各種飲料用の容器は、ガラス瓶の他にアルミやスチールの金属製缶及びペットボトルで代表される各種プラスチック製と、その容器の原材料の種類は多岐に渡っている。
そして、その使用済みの飲料用容器の処分は、各地方の行政から極力資源回収に利用するよう指導されている。【０００３】  そこで、回収空容器を運搬しやすいように、圧縮して回収することが望ましいが、家庭においては、ガラス瓶は破片が生じて危険だし、金属製缶は硬くて簡単には潰せないし、ペットボトル以外のプラスチック容器は肉厚で圧縮し難いから、これらは、空容器の原型の侭で回収している。【０００４】  したがって、多くの自治体では、上記の圧縮困難な空容器とペットボトルとは、その回収形式を異にしている所が多い。
すなわち、上記の空容器は、圧縮することなく夫々の回収袋に入れ置くが、ペットボトルの場合は、圧縮しやすいことから、圧縮回収を要請しているのである。【０００５】  そこで、一般の家庭では、圧縮しやすいペットボトルは、蓋を除去し、本体を足で踏んで押し潰し、ラベルを抜き剥がし回収袋に入れ置くようにしているのが実情である。
ところで、飲料メーカーにおいて生産する飲料によっては、金属製容器では味の変化を生じやすい等の理由から、ペットボトルの採用が今後も増加する傾向にある。【０００６】  なお、前述の容器の圧縮に関しては、アルミやスチール等の金属製の空缶については、早くから各種の圧縮装置が出現している。
特に、一般家庭にて用いられるものとしては、簡単な構造で安価に提供できるように、床面に置いて使用する足踏み式の「空缶潰し器」が多数見受けられる。その形式とは、２枚の板体をＶ字状に回動自在に組み合わせ、その開口部へ空缶を挿入して、一方の板体を踏板として踏み付けることにより他方の板体へ傾いて空缶を押し潰す構成としている。【０００７】  更には、床面上に置いて用いる構造のものは、かがみ込む必要があることから、作業が楽なように立ち姿勢の侭で踏み付けられるようスタンド式にしたものがある。
例えば、立設する枠体４本を組んで、その上部に、手前より前方へ傾斜した空き缶案内溝の内底面に対し、Ｖ字状に前方辺部で枢着させた押圧体が上側にあり、押圧体はばね力の付勢にて拡開させおき、使用時はその付勢力に抗して押圧体を引き下げる連結杆の先端にあるペダルを踏んで、空き缶を潰すようにした発明の名称「空き缶圧縮機」というものがある。（例えば、特許文献１参照。）。【０００８】  また、Ｖ字又はＵ字形の脚である１本の支柱の上部に、空き缶受け台を、手前を高くして４５°程の傾斜で固定し、その下端の支点連動軸に圧縮板を上側として設け、その圧縮板の上部から受け台下端までステーを出し、降下バーを介した降下ステーを取り付け、その末端に足踏みレバーを連結させて空き缶を潰すようにした。更に、支点連動軸に安全カバー連動レバーを設け、各種ストッパーを付設する安全カバーをも有した考案の名称「安全装置付き空き缶つぶし装置」というものがある。（例えば、特許文献２参照。）。
【特許文献１】特開平６−３２８２９６号公報（〔０００６〕〜〔０００７〕、図１〜図３）
【特許文献２】実登第３００５３９２号公報（〔０００７〕〜〔００１２〕、図１〜図３）
【発明の開示】
【発明が解決しようとする課題】
【０００９】  上述の特許文献１は、立設式だから、立姿勢の侭で空缶等の空容器を纏めて持ちさえすれば、一々かがんで作業をする必要がないから楽であるし、空容器の圧縮機構の構成自体も傾斜しているから、潰された空容器は自重で滑って、適宜な箱や袋等の容器内へと落とし入れることができ回収に便利である。【００１０】  特許文献２も、多少構成に違いはあったとしても、スタンド式で特許文献１と同様な効果を奏する上に、安全カバーを設けて、該カバーが閉じていないと圧縮板が作動しないようにしているが、加えて、安全カバーは、若し空缶等内に内容液が残っていたとしても、液汁の外部飛散を防止できる効果もあるとしている。【００１１】  しかしながら、両者を含む諸先願には、前述した空缶とペットボトルのような異種複数の空容器を同時に圧縮することについては考慮されていない。
数ある先願の中には、金属製缶としてアルミ缶とスチール缶を混在して圧縮口に投入しても、磁力を利用して自動分別し、別々の容器へ落とし入れるものはあるが、空缶とペットボトルのような全く異種材質のものの混在使用に供するものは見受けられなかった。【００１２】  この発明の目的は、この異種材質のものの混在使用にも供し得るものとしたい。特に、空缶とペットボトルの混在において、容易に圧縮と分別操作ができ得るものにすることを最大の課題とするものである。
【課題を解決するための手段】
【００１３】  この発明の構成を、以下に各図面に基づき説明する。先ず、圧縮装置自体の構成について説明すると、図１に示す如く、ほぼ垂直状の固定板１に、上方を開口部２として傾斜対向する押圧板３が、両側面から下方に落下口４を形成してＬ字状に延長する梃子杆５を有し、そのＬ字直角点には支点６があり、両梃子杆５間を渡る横杆７を、スプリングバネ８にて固定板１の上辺との間を短縮するよう付勢して開口部２の開口形成手段としている。【００１４】  なお、図２及び図３に示すように、押圧板３の両側面に、直角三角形状の側板１９を、固定板１の両外側に設けるようにして、側板１９の直角点を支点６位置とし、その下辺が梃子杆５に相当するものとして、その両端部近傍間に横杆７を渡したものとするもよい。
すなわち、この場合は梃子杆５を省略したと同様なものとなる。【００１５】  そして、固定板１の下方から複数の枠体９にて全体を立設すると共に、枠体９の下方には、連結杆１０を介して横杆７を押下げて、図２に破線で示した空容器１１を圧縮するためのペダル１２を設けて矢印のように押圧板３を揺動させる構成の立設状足踏式空容器圧縮装置が圧縮装置自体であるとした。ここまでは、従来技術であると言えるものである。
すなわち、本発明の主要部は、この圧縮装置自体に新たな構成付加したものであり、この圧縮装置の構成でないと、十分な効果を奏するようにはならないのである。【００１６】  その本発明の主要部とは、図２乃至図４に示すように、落下口４の下方に位置し、落下口４の長さ方向を二分するように、下辺部を回動支点軸１３として、上辺が前後両方向に回動する長方形状とした選別板１４を有したものとしている。
しかも、回動支点軸１３の直下には、長さ方向に幅狭で上方を鋭角とした切込１５を有した壁板１６を、選別板１４に対して平行で、かつ、垂直状に設けると共に、複数のフック１７を適所に設けた選別手段取付部材１８を、枠体９の適所に設けたことを特徴とする立設状足踏式空容器圧縮装置とした。【００１７】  なお、図２に見るように、選別板１４は、矢印で示すように回動する前後（図示では左右）の両方向側には、２本の係止棒２０が、その両端を選別手段取付部材１８に固定していて、それ以上の選別板１４の傾きを防いでいる。
また、壁板１６は、回動支点軸１３に対して固定して垂下したものであってもよいが、回動自在に吊下げるようにしてもよい。
なお、切込１５の形成自体を、図示の壁板１６を長さ方向に二分した薄いものとし、それを貼り合せたものとしてもよいことは云うまでもない。【００１８】  更に、図１乃至図４に示したように、選別手段取付部材１８を幅広の板体として、回動支点軸１３の両側上方にフック１７を設けたものとする他に、図５に示すように、選別手段取付部材１８には回動支点軸１３と係止棒２０のみとして、両側上方のフック１７は、それぞれ側板１９の支点６の両側に設けたものとし、そのフック１７には、それぞれの長さを適合させた先端がフック状である細い直線条体２１を吊下げたものとするもよい。【００１９】  上記構成のものは、いずれも、圧縮された空容器を収容する容器として、コンビニェンスストア等で多用される開口する両端に輪状の手提げ部を形成する通称ビニール袋を、分別袋Ａ２２・分別袋Ｂ２３として用いることを前提として説明した。
すなわち、分別袋Ａ２２・分別袋Ｂ２３それぞれの輪状の手提げ部を、それぞれのフック１７に引掛けて吊るして用いるようにしたものである。【００２０】  したがって、この収容器が、袋体でなく箱体とするならば、それなりに、例えば箱を置くための保持手段等を考慮すればよいことは云うまでもない。
さて、使用時には、分別袋Ａ２２・分別袋Ｂ２３を本装置に取り付けるのであるが、先ず、両分別袋Ａ２２・分別袋Ｂ２３それぞれを、その両側の手提げ部を持って袋を広げ、その袋の一辺を壁板１６の切込１５内に挿入する。【００２１】  したがって、両分別袋の一辺同士が重なって切込１５内に挿入されることになる。その次に、両袋それぞれの手提げ部を、開口するように、それぞれのフック１７に引掛けて吊るすことで準備は完了する。
当然ながら、収容器が箱体の場合は、２つの箱体の一辺同士を重ねて切込１５内に挿入すればよいことになる。【００２２】  そこで、空容器１１の圧縮作業に入るが、先ず、空容器１１として、空缶とペットボトルの２種類の場合の圧縮作業は、例えば、予め空缶を分別袋Ａ２２内に、ペットボトルを分別袋Ｂ２３内に収容すると決めて置く。【００２３】  そして、空缶を潰す場合は、先ず、図４に見るような選別板１４を回動させるための把手２４を固定板１側の係止棒２０まで倒し置く。
次に、空缶である空容器１１を、開口部２内に落とし入れると、狭い落下口４辺りにて留まることになる。ここまでの状態を解りやすく縦断面で示したのが図２である。【００２４】  さて、本発明の装置を用いての圧縮作用は、従来技術の応用であり特段説明するまでもないだろうから簡単に述べると、図１に示すペダル１２を踏み付けることによって、スプリングバネ８により開口部２を保持している押圧板３が、そのスプリングバネ８の付勢力に抗して空容器１１が固定板１に押し付けられて、図示しない扁平状に潰されるから、ペダル１２から足を離して押圧板３が元の位置に戻っても、傾斜しているから空容器１１は狭い落下口４から滑り落ちて行く。ここまでは、圧縮装置自体の作用の説明である。【００２５】  そして、空容器１１は本発明の構成部分に導入されるのである。すなわち、図２に見るように、選別板１４が落下口４を長さ方向に２分するようにした回動支点軸１３を軸にして、固定版１側を塞いでいるから、落下した空容器１１は選別板１４に当たって必然的に分別袋Ａ２２内へと滑って落ち込んで行くことになる。【００２６】  空容器１１がペットボトルの時には、選別板１４を逆方向へ倒してから、同様の圧縮動作をすればよく、さすれば選別板１４は、図２の破線に見る位置となり、空容器１１であるペットボトルは分別袋Ｂ２３の方へ落ち込んで行く。なお、把手２４は、必ず必要と云う訳ではなく、不要とした場合は直接選別板１４を手指にて倒せばよいのである。
以上詳記のように、本発明は従来の立設状足踏式空容器圧縮装置に、簡単な構成の圧縮空容器の分別機構を付加したものである。
【発明の効果】
【００２７】  この発明の圧縮した空容器選別装置を用いれば、一々選別板１４の傾斜方向の選択操作をする必要があるとしても、そのこと自体はさしたる手間でもなく、また、使用者は作業時の位置、すなわち図１の右側に立った侭で圧縮操作も選別操作も出来るから、全く不便さを感じさせることなく２種類の空容器の圧縮と、その選別収納ができるのである。【００２８】  この場合、壁板１６を、回動支点軸１３に対し、又は、回動支点軸１３と共にでも、いずれでもよいから回動できるようにしたものは、分別袋Ａ２２と分別袋Ｂ２３との一辺を切込１５内へ挿入する際に、切込１５が手前に来るようにできるから、切込１５を直視しながら挿入できるようになる。【００２９】  又は、壁板１６を回動支点軸１３に垂下させて固定した場合は、切込１５がふらふら動かないから、切込１５が見えずとも確りと挿入できやすいとも云える。
このように、箱などでは固定した方が挿入しやすいので、適当な慣用手段で、どちらでも可能のような構成にすればよい。【００３０】  なお、両梃子杆５に変えて、押圧板３の両側面に直角三角形状の側板１９を設けたものとすれば、固定板１との間の両側を塞ぐことになるから、空容器１１が飛び出すことを防げると共に、空容器１１内に残って居た内容液が、潰されても外部への飛散防止になる。【００３１】  また、図５に示したように、直線条体２１を介してフック１７を側板１９に設けたものとすれば、使用時に圧縮動作をする度に、すなわち、側板１９が揺動する度に、分別袋Ａ２２と分別袋Ｂ２３が上下交互に動かされることになるから、両袋内の潰された空缶やペットボトルも上下動させられて、お互いに接触し合い袋の底の方へと落ち込み行くから、お互いの間にあった隙間を少なくし、より多くの収容量とすることができるようになる。
【発明を実施するための最良の形態】
【００３２】  この発明の実施の最良の形態とは、使用時に立ち姿勢の侭で操作が出来ることと、潰した空容器１１を収納する分別袋Ａ２２と分別袋Ｂ２３とを吊下げられるように、圧縮装置自体は、スタンド式なり複数の枠体式なりの立接式とする。そして、踏板のペダル１２を足で踏み付けることで、垂直状の固定板１に対し、傾斜した押圧板３が回動押圧するようにした圧縮装置とする。しかも、押圧板３の両側面に、空容器１１が突出したり、残液の飛散防止のために、直角三角形状の側板１９を設けたものにする。【００３３】  空容器選別装置は、選別手段取付部材１８を幅広の板体として、回動支点軸１３の両側上方にフック１７を設けたものとする。この幅広の板体の方が、全体が横転した時に補強材として選別板１４や壁板１６と共に押圧板３を守る働きをするようになる。
その他は、全て前述した構成でよい。
【実施例１】
【００３４】  実施例１を、図２乃至図４にて説明すると、固定板１や押圧板３は、鋼板を採用し、両者の面部の適所に突起２５を設けて、圧縮時に空容器１１を潰しやすくすると共に、上方への飛び出しを防ぐ役目をさせる。なお、空容器１１は破線にて大小２例を示した。
そして、鋼板である大きめの側板１９を、固定板１の両側面に溶接し、梃子杆１５自体を省略させたものとした。なお、枠体９はチャンネルＬ型鋼を、連結杆１０は細い丸鉄棒を採用した。なお、ペダル１２等を示す枠体９の下方は図１に示すものと同じである。【００３５】  また、空容器選別装置は、回動支点軸１３と係止棒２０を鉄製とした他は、選別板１４と壁板１６及び選別手段取付部材１８を木製として枠体９にボルト等で締結して、全体を組み立てた。なお、選別板１４を回動させるための直棒状の把手２４は、図４のものに示したが、図２と図３のものには把手２４はないものとして示した。
【実施例２】
【００３６】  実施例２は、図１に示したもので、実施例１と同じく側板１９を採用したものだが、梃子作用の効果を上げ圧縮力を高めるために、側板１９の下辺部から延長させた梃子杆５を有したものとした。その他は実施例１と同じである。
【実施例３】
【００３７】  実施例３は、図５に示したもので、選別手段取付部材１８の幅を狭いものとして、フック１７を、それぞれ側板１９の支点６の両側に設けたものとし、そのフック１７には、それぞれの長さを適合させた先端がフック状の細い直線条体２１を吊下げたものとした。その他は実施例１と同じである。【００３８】  上記の各実施例の図面においては、いずれも圧縮後の空容器１１の収納容器を、分別袋Ａ２２及び分別袋Ｂ２３として図示して、箱体としての収納容器については図示省略したが、箱体を用いることには何にも問題なく、構造もさして複雑ではないので、家庭用として相応しく採用できる立設状足踏式空容器圧縮装置である。
【図面の簡単な説明】
【００３９】
【図１】本発明の実施例で、全体を示す斜視図である。（実施例２）
【図２】本発明の他の実施例で、主要部のみを示した左縦断面図である。（実施例１）
【図３】図２と同じ実施例で、主要部のみを示した左側面図である。（実施例１）
【図４】図２と同じ実施例で、主要部のみを示した背面図である。（実施例１）
【図５】本発明の更に他の実施例で、主要部のみを示した左側面図である。（実施例３）
【符号の説明】
【００４０】１  固定板                  １０  連結杆                  １９  側板
２  開口部                  １１  空容器                  ２０  係止棒
３  押圧板                  １２  ペダル
４  落下口                  １３  回動支点軸
５  梃子杆                  １４  選別板
６  支点                    １５  切込
７  横杆                    １６  壁板
８  スプリングバネ          １７  フック
９  枠体                    １８  選別手段取付部材
【図１】
2009034727.tif 000003
【図２】
2009034727.tif 000004
【図３】
2009034727.tif 000005
【図４】
2009034727.tif 000006
【図５】
2009034727.tif 000007